【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
無線通信システムにおいてランダム接続手続を実行する方法であって、前記方法は、
ランダム接続のためのプリアンブルを移動局からネットワークに送信することと、
前記移動局によって、前記プリアンブルに対する応答として前記ネットワークからランダム接続応答メッセージを受信することであって、前記ランダム接続応答メッセージは、ＭＡＣ（メディア接続制御）ヘッダと、０個以上のＭＡＣランダムアクセス応答（ＭＡＣ  ＲＡＲ）とを有する、ことと
を含み、
前記ＭＡＣヘッダは、ＭＡＣサブヘッダを有し、前記ＭＡＣサブヘッダは、第１の１ビットフィールドと第２の１ビットフィールドとを含み、前記第１の１ビットフィールドの直後に前記第２の１ビットフィールドが続き、
前記第１の１ビットフィールドは、追加のフィールドが前記ＭＡＣヘッダに含まれているか否かを示し、
前記第２の１ビットフィールドは、前記ＭＡＣサブヘッダが、ランダム接続プリアンブル識別子またはバックオフパラメータを有しているか否かを示し、
前記第２の１ビットフィールドが、前記ＭＡＣサブヘッダが前記ランダム接続プリアンブル識別子を有していることを示す場合には、前記ＭＡＣサブヘッダは、前記ランダム接続プリアンブル識別子に対応するＭＡＣ  ＲＡＲを有し、前記第２の１ビットフィールドが、前記ＭＡＣサブヘッダが前記バックオフパラメータを有していることを示す場合には、前記ＭＡＣサブヘッダは、前記バックオフパラメータに対応するＭＡＣ  ＲＡＲを有していない、方法。
【請求項２】
前記第２の１ビットフィールドが、前記ＭＡＣサブヘッダが前記バックオフパラメータを有していることを示す場合には、前記バックオフパラメータを用いてバックオフを実行することをさらに含む、請求項１に記載の方法。
【請求項３】
前記バックオフパラメータは、共通バックオフパラメータであるか、または、移動端末によって排他的に使用される排他的バックオフパラメータである、請求項１に記載の方法。
【請求項４】
前記第２の１ビットフィールドの後に前記バックオフパラメータが続く、請求項１に記載の方法。
【請求項５】
前記第２の１ビットフィールドの直後に前記バックオフパラメータが続く、請求項４に記載の方法。
【請求項６】
無線通信システムにおいてランダム接続手続を実行する方法であって、前記方法は、
ネットワークにおいて、ランダム接続のためのプリアンブルを移動端末から受信することと、
前記ネットワークによって、前記プリアンブルに対する応答としてランダム接続応答メッセージを前記移動端末に送信することであって、前記ランダム接続応答メッセージは、ＭＡＣ（メディア接続制御）ヘッダと、０個以上のＭＡＣランダムアクセス応答（ＭＡＣ  ＲＡＲ）とを有する、ことと
を含み、
前記ＭＡＣヘッダは、ＭＡＣサブヘッダを有し、前記ＭＡＣサブヘッダは、第１の１ビットフィールドと第２の１ビットフィールドとを含み、前記第１の１ビットフィールドの直後に前記第２の１ビットフィールドが続き、
前記第１の１ビットフィールドは、追加のフィールドが前記ＭＡＣヘッダに含まれているか否かを示し、
前記第２の１ビットフィールドは、前記ＭＡＣサブヘッダが、ランダム接続プリアンブル識別子またはバックオフパラメータを有しているか否かを示し、
前記第２の１ビットフィールドが、前記ＭＡＣサブヘッダが前記ランダム接続プリアンブル識別子を有していることを示す場合には、前記ＭＡＣサブヘッダは、前記ランダム接続プリアンブル識別子に対応するＭＡＣ  ＲＡＲを有し、前記第２の１ビットフィールドが、前記ＭＡＣサブヘッダが前記バックオフパラメータを有していることを示す場合には、前記ＭＡＣサブヘッダは、前記バックオフパラメータに対応するＭＡＣ  ＲＡＲを有していない、方法。
【請求項７】
前記第２の１ビットフィールドが、前記ＭＡＣサブヘッダが前記バックオフパラメータを有していることを示す場合には、前記バックオフパラメータは、前記移動端末がバックオフを実行することを可能にするように構成されている、請求項６に記載の方法。
【請求項８】
前記バックオフパラメータは、共通バックオフパラメータであるか、または、前記移動端末によって排他的に使用されるバックオフパラメータである、請求項６に記載の方法。
【請求項９】
前記第２の１ビットフィールドの後に前記バックオフパラメータが続く、請求項６に記載の方法。
【請求項１０】
前記第２の１ビットフィールドの直後に前記バックオフパラメータが続く、請求項９に記載の方法。
【請求項１１】
無線通信システムにおいてランダム接続手続を実行するように構成されている移動端末であって、
前記移動端末は、プロセッサを含み、
前記プロセッサは、
ランダム接続のためのプリアンブルをネットワークに送信することと、
前記プリアンブルに対する応答として前記ネットワークから受信されたランダム接続応答メッセージを処理することであって、前記ランダム接続応答メッセージは、ＭＡＣ（メディア接続制御）ヘッダと、０個以上のＭＡＣランダムアクセス応答（ＭＡＣ  ＲＡＲ）とを有する、ことと
を前記移動端末に行わせるように構成されており、
前記ＭＡＣヘッダは、ＭＡＣサブヘッダを有し、前記ＭＡＣサブヘッダは、第１の１ビットフィールドと第２の１ビットフィールドとを含み、前記第１の１ビットフィールドの直後に前記第２の１ビットフィールドが続き、
前記第１の１ビットフィールドは、追加のフィールドが前記ＭＡＣヘッダに含まれているか否かを示し、
前記第２の１ビットフィールドは、前記ＭＡＣサブヘッダが、ランダム接続プリアンブル識別子またはバックオフパラメータを有しているか否かを示し、
前記第２の１ビットフィールドが、前記ＭＡＣサブヘッダが前記ランダム接続プリアンブル識別子を有していることを示す場合には、前記ＭＡＣサブヘッダは、前記ランダム接続プリアンブル識別子に対応するＭＡＣ  ＲＡＲを有し、前記第２の１ビットフィールドが、前記ＭＡＣサブヘッダが前記バックオフパラメータを有していることを示す場合には、前記ＭＡＣサブヘッダは、前記バックオフパラメータに対応するＭＡＣ  ＲＡＲを有していない、移動端末。
【請求項１２】
前記第２の１ビットフィールドの後に前記バックオフパラメータが続く、請求項１１に記載の移動端末。
【請求項１３】
前記第２の１ビットフィールドの直後に前記バックオフパラメータが続く、請求項１２に記載の移動端末。
【請求項１４】
無線通信システムにおいてランダム接続手続を実行するように構成されているネットワークであって、
前記ネットワークは、プロセッサを含み、
前記プロセッサは、
移動端末から受信されたランダム接続のためのプリアンブルを処理することと、
前記プリアンブルに対する応答としてランダム接続応答メッセージを前記移動端末に送信することであって、前記ランダム接続応答メッセージは、ＭＡＣ（メディア接続制御）ヘッダと、０個以上のＭＡＣランダムアクセス応答（ＭＡＣ  ＲＡＲ）とを有する、ことと
を前記ネットワークに行わせるように構成されており、
前記ＭＡＣヘッダは、ＭＡＣサブヘッダを有し、前記ＭＡＣサブヘッダは、第１の１ビットフィールドと第２の１ビットフィールドとを含み、前記第１の１ビットフィールドの直後に前記第２の１ビットフィールドが続き、
前記第１の１ビットフィールドは、追加のフィールドが前記ＭＡＣヘッダに含まれているか否かを示し、
前記第２の１ビットフィールドは、前記ＭＡＣサブヘッダが、ランダム接続プリアンブル識別子またはバックオフパラメータを有しているか否かを示し、
前記第２の１ビットフィールドが、前記ＭＡＣサブヘッダが前記ランダム接続プリアンブル識別子を有していることを示す場合には、前記ＭＡＣサブヘッダは、前記ランダム接続プリアンブル識別子に対応するＭＡＣ  ＲＡＲを有し、前記第２の１ビットフィールドが、前記ＭＡＣサブヘッダが前記バックオフパラメータを有していることを示す場合には、前記ＭＡＣサブヘッダは、前記バックオフパラメータに対応するＭＡＣ  ＲＡＲを有していない、ネットワーク。
【請求項１５】
前記第２の１ビットフィールドの後に前記バックオフパラメータが続く、請求項１４に記載のネットワーク。
【請求項１６】
前記第２の１ビットフィールドの直後に前記バックオフパラメータが続く、請求項１５に記載のネットワーク。